(57)【要約】【課題】電子メール等のテキストデータの発信者の特定および受信内容の認識を容易にした車載電子装置を提供することを目的とする。【解決手段】車載電子装置は、携帯電話端末２０から受信した発信者の音声信号を解析して該発信者の声質データを生成する音声解析部１４と、音声解析部１４で生成した声質データを記憶する記憶部１６と、携帯電話端末２０から受信したテキストデータの発信者に対応した声質データを記憶部１６から読み出し、読み出した声質データに基づいて受信したテキストデータを音声変換する音声変換部１２とを備える。【選択図】図１
2013007879.tif 000002
【特許請求の範囲】
【請求項１】
携帯電話端末から受信した発信者の音声信号を解析して該発信者の声質データを生成する音声解析部と、前記音声解析部で生成した声質データを記憶する記憶部と、前記携帯電話端末から受信したテキストデータの発信者に対応した声質データを前記記憶部から読み出し、前記読み出した声質データに基づいて前記受信したテキストデータを音声変換する音声変換部とを備えることを特徴とする車載電子装置。
【請求項２】
前記音声変換部は、前記受信したテキストデータの発信者に対応した声質データが前記記憶部に存在しない場合には、前記記憶部に記憶されている基本声質データにより音声変換することを特徴とする請求項１に記載の車載電子装置。
【発明の詳細な説明】
【技術分野】
【０００１】
本発明は、ハンズフリー通話およびネットワーク通信が行える車載電子装置に関するものである。
【背景技術】
【０００２】
従来、車の走行中にハンズフリー接続された携帯電話で受信した電子メール等を表示部に表示し、文字データを音声にて読み上げる車載電子装置が知られている（例えば特許文献１参照）。
【先行技術文献】
【特許文献】
【０００３】
【特許文献１】特開２００２−１７６４８６号公報
【発明の概要】
【発明が解決しようとする課題】
【０００４】
上記従来技術では、受信した電子メールのテキストデータを車載電子装置の音声変換手段にて音声データに基づいて音声出力していた。しかしながら、音声データに基づいて出力された合成音声は人間の聴感として聞こえづらく、また同じ合成音声であるため電子メールの発信者が特定できないという問題があった。
【０００５】
本発明は、従来の問題を解決するものであり、発信者の声質データにて音声出力することで、受信した電子メールの発信者を特定することができる車載電子装置を提供することを目的とする。
【課題を解決するための手段】
【０００６】
上記目的を達成するために、本発明の車載電子装置は、携帯電話端末から受信した発信者の音声信号を解析して該発信者の声質データを生成する音声解析部と、音声解析部で生成した声質データを記憶する記憶部と、携帯電話端末から受信したテキストデータの発信者に対応した声質データを記憶部から読み出し、読み出した声質データに基づいて受信したテキストデータを音声変換する音声変換部とを備える。
【０００７】
また、音声変換部は、受信したテキストデータの発信者に対応した声質データが記憶部に存在しない場合には、記憶部に記憶されている基本声質データにより音声変換する。
【発明の効果】
【０００８】
本発明の車載電子装置では、走行中の車室内であっても発信者の声質データにて音声出力することで、受信した電子メールの発信者を特定することができる。
【図面の簡単な説明】
【０００９】
【図１】本発明の一実施の形態における車載電子装置のブロック図
【図２】図１の車載電子装置の処理の流れを説明するためのフローチャート
【図３】本発明の一実施の形態におけるアドレス帳データの一例を示す図
【発明を実施するための形態】
【００１０】
以下、本発明の一実施の形態における車載電子装置について図面を参照しながら説明する。図１は本実施の形態における車載電子装置のブロック図を示している。図１において、車載電子装置１０には、外部のネットワークと接続して電話や電子メールの送受信を行う携帯電話端末２０、ユーザが音声を入力するためのマイク３０、音声を出力するスピーカ４０、電子メールの情報等各種情報を表示するための液晶ディスプレイや有機ＥＬディスプレイ、プラズマディスプレイ等で構成される表示装置５０が接続されている。
【００１１】
携帯電話端末２０は、車載電子装置１０とデータ通信することを可能としたＵＳＢ＿ＩＦ２２を有し、およそ４８０ＭＨｚでの高速データ通信を行う事ができる。なお、それ以外の高速データ通信でも構わない。
【００１２】
また、携帯電話端末２０は、内部に近距離無線装置であるＢｌｕｅｔｏｏｔｈ（登録商標）のモジュール（ＢＴモジュール）２１を有しており、車載電子装置１０と無線データ通信することで、ユーザは携帯電話端末２０を直接操作せずに車載電子装置１０にてハンズフリー通話をすることができる。
【００１３】
車室内に設置されたマイク３０には、電話通話時にユーザが発声した音声が入力され、車載電子装置１０を通じて携帯電話端末２０へ出力されてハンズフリー電話通話が行われる。
【００１４】
次に、車載電子装置１０の内部構成について詳細に説明する。車載電子装置１０は、ＣＰＵ、ＲＡＭ、フラッシュＲＯＭ、専用回路、ハードディスク等を有する回路基板で構成される。車載電子装置１０は、携帯電話端末２０と近距離無線をするためのＢｌｕｅｔｏｏｔｈ（登録商標）のモジュール（ＢＴモジュール）１１、音声変換部１２、制御部１３、音声解析部１４、表示制御部１５、記憶部１６を備える。
【００１５】
記憶部１６は、フラッシュＲＯＭ、ＲＡＭ、ハードディスクなどで構成され、車載電子装置１０の電源がＯＮからＯＦＦとされた場合にも、記憶した情報は保持される。音声変換部１２、制御部１３、音声解析部１４、表示制御部１５は、専用回路を用いてハードウェア的に構成してもよいし、ＣＰＵ内のプログラムとしてソフトウェア的に構成してもよい。
【００１６】
ＢＴモジュール１１は制御部１３と接続されており、ＢＴモジュール１１に音声信号が入力された場合は、制御部１３により電話通話モードと判断され、携帯電話端末２０から入力された音声が車室内に設置されたスピーカ４０へ出力される。
【００１７】
また、ＢＴモジュール１１は、制御部１３により電話通話モードと判断された場合は、制御部１３の指示により、携帯電話端末２０から入力される通話相手の声質を解析する為に音声解析部１４へ通話音声を出力する。
【００１８】
ＢＴモジュール１１は、車室内に設置されたマイク３０と接続されており、マイク３０に入力されたユーザの音声は、ＢＴモジュール１１に入力される。制御部１３の電話通話モードの指示に従って、ＢＴモジュール１１は、携帯電話端末２０に音声データとして転送することでハンズフリー通話を実施している。
【００１９】
制御部１３は、携帯電話端末２０が有するＵＳＢ＿ＩＦ２２と接続されており、電子メールやテキストデータなどの文字データを受信する為に必要なデータ通信を実施している。ＵＳＢ＿ＩＦ２２による文字データを受信した場合は、制御部１３はテキストモードと判断する。
【００２０】
また、制御部１３は表示制御部１５とも接続されており、テキストモード時に受信した文字データを表示制御部１５に転送する。表示制御部１５は、表示装置５０と接続されており、制御部１３より出力された文字データを受信して表示装置５０へ転送する。
【００２１】
制御部１３は、音声変換部１２とも接続され、受信したテキストデータを音声出力するよう制御する。また、制御部１３が受信したテキストデータの発信者情報も、音声変換部１２へ出力される。
【００２２】
音声解析部１４は、制御部１３により電話通話モードと判断された場合は、ＢＴモジュール１１により出力された音声および制御部１３より出力される発信者情報を取得する。音声解析部１４にて複数回の通話時の音声データを解析することで、発信者（通話相手）の声をパターン形成化し、記憶部１６に発信者情報と共に声質データとして保存する。
【００２３】
音声変換部１２は、制御部１３によりテキストモードと判断された場合は、発信者の過去の電話通話時に解析済みの声質データを記憶部１６から読み出し、制御部１３より出力されたテキストデータを声質データに基づいて音声変換して、スピーカ４０へ出力する。
【００２４】
記憶部１６は、電話通話時には音声解析部１４が解析した発信者の声質データが、発信者に対応付けて記憶されている。また、過去に電話通話履歴のない発信者から受信したテキストデータを音声変換するために使用する、標準の声質データである基本声質データも記憶されている。
【００２５】
以上のように構成された車載電子装置について、図２を用いてその処理動作を説明する。図２は、車載電子装置の処理の流れを説明するためのフローチャートを示している。
【００２６】
図２において、ステップＳ０１で携帯電話端末２０にて着信があると、携帯電話端末２０側のＢＴモジュール２１から車載電子装置１０側のＢＴモジュール１１へ無線通信を行う。また、携帯電話端末２０からの電子メール等のテキストデータの受信通知がある場合は、ＵＳＢ＿ＩＦ２２からそれらのデータを受信する。
【００２７】
次に、ステップＳ０２では制御部１３は、ステップＳ０１の携帯電話端末２０からの着信が電話通知であるか電子メール等のテキストデータの受信通知なのかを判断する。ステップＳ０２において、制御部１３は、携帯電話端末２０からの着信が電話通知であると判断した場合は、ステップＳ０９に処理を移す。また、ステップＳ０２において、携帯電話端末２０からテキストデータの受信通知であると判断した場合は、ステップＳ０３に処理を移す。
【００２８】
ステップＳ０３では、制御部１３は、電子メール等のテキストデータの受信が誰からのものであるのかを特定するために発信者情報を取得する。取得方法としては、受信したメールアドレス等に基づき、携帯電話端末２０に保存されているアドレス帳データを参照することで発信者を特定することができる。図３は、アドレス帳データの一例を示す図で、氏名、電話番号、メールアドレスが記憶されている。制御部１３は、携帯電話端末２０が受信したメールアドレスから特定した発信者の氏名等の発信者情報をＢＴモジュール１１を介して取得できる。
【００２９】
次に、ステップＳ０４では、音声変換部１２は、制御部１３から発信者情報を取得し、発信者の声質データが記憶部１６に登録済みか否かを判断する。登録済の場合（ステップＳ０４でＹＥＳ）の場合、ステップＳ０５に処理を移し、登録されていない場合（ステップＳ０４でＮｏ）ステップＳ０６に処理を移す。
【００３０】
ステップＳ０５では、音声変換部１２は発信者情報を元に記憶部１６より登録済みの発信者の声質データを音声変換用の音声として選択して、ステップＳ０７に進む。ステップＳ０６では、発信者の声質データが登録されていないので、音声変換部１２は記憶部１６に登録されている基本声質データを音声変換用の音声として選択して、ステップＳ０７に進む。
【００３１】
次に、ステップＳ０７では、音声変換部１２は、ステップＳ０５またはステップＳ０６で選択された声質データに基づき、制御部１３より受信したテキストデータを音声出力する。そして、ステップＳ０８に処理を移す。
【００３２】
ステップＳ０８では、ユーザ操作による終了要求または所定時間が経過（タイムアウト）したか否かを判断する。ユーザ操作による終了要求または所定時間が経過した場合（ステップＳ０８でＹＥＳ）には、処理を終了する。ユーザ操作による終了要求もなく、所定時間経過していない場合（ステップＳ０８でＮＯ）には、ステップＳ０１に処理を戻す。
【００３３】
処理の説明をステップＳ０２に戻し、携帯電話端末２０からの着信が電話通知であった場合のステップＳ０９では、制御部１３は、ＢＴモジュール１１を制御してハンズフリー通話が可能な通話音声モードへと切り替える。次に、ステップＳ１０では通話音声モードでの通話時に、誰からの通話であるのかを特定する為に、制御部１３は発信者情報を取得する。取得方法としては、ステップＳ０３と同様に携帯電話端末２０に保存されているアドレス帳データを参照することで通話相手を特定することができる。
【００３４】
次に、ステップＳ１１では、音声解析部１４はＢＴモジュール１１により出力された音声および制御部１３より出力される発信者情報を取得し、発信者の通話音声の要素である、声量・音程・音色を複数回にわたって解析し、発信者の声をパターン化する。
【００３５】
そして、ステップＳ１２では、音声解析部１４は解析した発信者のパターン化した声質データを発信者情報と共に記憶部１６に保存する。なお、抽象化した幾つかの声質データを予め記憶部１６に記憶しておき、音声解析部１４は解析結果に基づいて、最も近い声質データを選択し、発信者の声質データとして保存することも可能とする。
【００３６】
ステップＳ１２終了後は、ステップ０８に処理を進める。
【００３７】
以上のように、本発明の実施の形態では、発信者の声質データに基づいてテキストデータを音声出力することで、ユーザは発信者を容易に特定することができるという効果が得られる。
【００３８】
なお、音声変換部１２が発信者の声質データに基づいてテキストデータを音声出力する際、特定した発信者の顔写真を携帯電話端末２０から入手して、表示制御部１５は受信した写真を表示装置５０に表示させ、口元を動作させることでバーチャルに発信者がメールを読み上げている様な映像を表示させることもできる。
【００３９】
また、本実施の形態では、車載電子装置１０と携帯電話端末２０とがハンズフリー通話の近距離無線通信をするためにＢｌｕｅｔｏｏｔｈ（登録商標）のモジュール（ＢＴモジュール）を用いたが、それに限られることはなく、通信することができればよく、有線であってもよい。
【００４０】
さらに、図２のステップＳ０３、ステップＳ１０において発信者情報を取得するためのアドレス帳データは携帯電話端末２０に保存されているものとしたが、車載電子装置１０の記憶部１６に保存されていてもよい。この場合、制御部１３は、ステップＳ０３においては、電子メール等のテキストデータと共に発信者のメールアドレスを取得し、記憶部１６のアドレス帳データを参照して、氏名等の発信者情報を取得する。また、ステップ１０においては、制御部１３は、携帯電話端末２０から電話番号を取得し、記憶部１６のアドレス帳データを参照して、氏名等の発信者情報を取得することができる。
【００４１】
また、本発明は、上述した実施の形態を実現するソフトウェアのプログラム（実施の形態では図に示すフローチャートに対応したプログラム）が装置に供給され、その装置のコンピュータが、供給されたプログラムを読出して、実行することによっても達成させる場合を含む。したがって、本発明の機能処理をコンピュータで実現するために、コンピュータにインストールされるプログラム自体も本発明を実現するものである。つまり、本発明は、本発明の機能処理を実現させるためのプログラムも含む。
【産業上の利用可能性】
【００４２】
本発明の車載電子装置は、車両走行中に電子メール等のテキストデータを受信した場合に、発信者の声質で音声出力することで発信者の特定および受信内容を容易に認識することができるため、カーナビゲーション装置、オーディオ装置等の車載電子装置として有用である。
【符号の説明】
【００４３】
１０    車載電子装置
１１、２１    ＢＴモジュール
１２    音声変換部
１３    制御部
１４    音声解析部
１５    表示制御部
１６    記憶部
２０    携帯電話端末
２２    ＵＳＢ＿ＩＦ
３０    マイク
４０    スピーカ
５０    表示装置
【図１】
2013007879.tif 000003
【図２】
2013007879.tif 000004
【図３】
2013007879.tif 000005